【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
気体が含まれた筐体と、
合成噴流を発生するために、振動することで前記筐体から前記気体を脈流として吐出させる第１の振動体と、
第１のマグネットと、第１の反発磁界を形成するように前記第１のマグネットに対向して配置された第２のマグネットと、前記第１の振動体に装着され、前記第１の反発磁界を受けるように配置された第１のコイルとを有し、前記第１のコイルに通電することで前記第１の振動体を駆動する駆動機構と
を具備する噴流発生装置。
【請求項２】
請求項１に記載の噴流発生装置であって、
前記駆動機構は、
振動することで前記気体の脈流を生成する第２の振動体と、
第２の反発磁界を形成するように、前記第２のマグネットとの間に前記第１のマグネットを挟んで前記第２のマグネットと対向して配置された第３のマグネットと、
前記第２の振動体に装着され、前記第２の反発磁界を受けるように配置された第２のコイルと
を有する噴流発生装置。
【請求項３】
請求項１に記載の噴流発生装置であって、
前記第１及び第２のマグネットが対向する方向にほぼ垂直な面内における前記第１のマグネットの第１の幅より大きい第２の幅でなるとともに、平板状でなり、前記第１のマグネットの、前記第２のマグネットが配置される側とは反対側に接続された第１のヨークをさらに具備する噴流発生装置。
【請求項４】
請求項２に記載の噴流発生装置であって、
前記第１及び第２のマグネットが対向する方向にほぼ垂直な面内における前記第１のマグネットの第１の幅より大きい第２の幅でなるとともに、平板状でなり、前記第１のマグネットの、前記第２のマグネットが配置される側とは反対側に接続された第１のヨークと、
前記面内で前記第１の幅より大きい第３の幅でなるとともに、平板状でなり、前記第２のマグネットの、前記第１のマグネットが配置される側とは反対側に接続された第２のヨークと
をさらに具備する噴流発生装置。
【請求項５】
請求項３に記載の噴流発生装置であって、
前記第１のヨークは、前記筐体の一部を構成する噴流発生装置。
【請求項６】
請求項４に記載の噴流発生装置であって、
前記第１及び第２のヨークは、前記筐体の一部を構成する噴流発生装置。
【請求項７】
請求項１に記載の噴流発生装置であって、
前記筐体は、
第１のチャンバと、
前記第１のチャンバとの間に前記第１の振動体を挟むように前記第１のチャンバに対向して配置された第２のチャンバと、
前記第１のチャンバと前記筐体の外部とを連通し、前記気体を吐出させるための第１の開口と、
前記第２のチャンバと前記筐体の外部とを連通し、前記気体を吐出させるための第２の開口と
を有する噴流発生装置。
【請求項８】
請求項２に記載の噴流発生装置であって、
前記筐体は、
前記第１及び第２の振動体により挟まれて形成された第１のチャンバと、
前記第１のチャンバとの間に前記第１の振動体を挟むように前記第１のチャンバに対向して配置された第２のチャンバと、
前記第１のチャンバとの間に前記第２の振動体を挟むように前記第１のチャンバに対向して配置された第３のチャンバと、
前記第１のチャンバと前記筐体の外部とを連通し、前記気体を吐出させるための第１の開口と、
前記第２のチャンバと前記筐体の外部とを連通し、前記気体を吐出させるための第２の開口と
前記第３のチャンバと前記筐体の外部とを連通し、前記気体を吐出させるための第３の開口と
を有する噴流発生装置。
【請求項９】
請求項８に記載の噴流発生装置であって、
前記第２及び第３のチャンバは、それぞれほぼ同じ第１の容積を有し、
前記第１のチャンバは、前記第１の容積のほぼ２倍である第２の容積を有し、
前記第２及び第３の開口は、第１の開口面積を有し、同じ数だけ設けられ、
前記第１の開口は、前記第１の開口面積とほぼ同じ第２の開口面積を有し、前記第２の開口と前記第３の開口を足した数と同じ数だけ設けられている
噴流発生装置。
【請求項１０】
請求項２に記載の噴流発生装置であって、
前記駆動機構は、前記第１及び第２の振動体を互いに近づけるように、かつ、互いに遠ざけるように同期して駆動する噴流発生装置。
【請求項１１】
請求項１に記載の噴流発生装置であって、
前記第１及び第２のマグネットは、当該第１及び第２のマグネットの対向方向にほぼ垂直な面内における前記第１のコイルの第１の幅よりも大きい第２の幅でなり、かつ、リング状でなる噴流発生装置。
【請求項１２】
請求項２に記載の噴流発生装置であって、
前記第１、第２及び第３のマグネットは、当該第１、第２及び第３のマグネットの各対向方向にほぼ垂直な面内における前記第１のコイルの第１の幅及び前記第２のコイルの第２の幅のいずれの幅よりも大きい第３の幅でなり、かつ、リング状でなる噴流発生装置。
【請求項１３】
請求項７に記載の噴流発生装置であって、
前記第１の振動体は、前記第１のチャンバと前記第２のチャンバとの間を密閉するように前記筐体に設けられる噴流発生装置。
【請求項１４】
請求項１３に記載の噴流発生装置において、
前記第１のコイルは、前記第１及び第２のマグネットの前記対向方向にほぼ垂直な面内で巻回された平面コイルである噴流発生装置。
【請求項１５】
請求項１３に記載の噴流発生装置であって、
前記第１及び第２のマグネットの対向方向にほぼ垂直な面内であって前記第１のコイルの内側に配置され、前記第１の振動体に装着されたヨークをさらに具備する噴流発生装置。
【請求項１６】
請求項１に記載の噴流発生装置であって、
前記駆動機構は、
振動することで前記気体の脈流を生成する第２の振動体と、
前記第２の振動体に装着され、前記第１の反発磁界を受けるように配置された第２のコイルとを有し、
前記筐体は、
前記第１及び第２の振動体により挟まれて形成された第１のチャンバと、
前記第１のチャンバとの間に前記第１の振動体を挟むように前記第１のチャンバに対向して配置され、前記第１の振動体により前記第１のチャンバとの間を密閉された第２のチャンバと、
前記第１のチャンバとの間に前記第２の振動体を挟むように前記第１のチャンバに対向して配置され、前記第２の振動体により前記第１のチャンバとの間を密閉された第３のチャンバと、
前記第１のチャンバと前記筐体の外部とを連通し、前記気体を吐出させるための第１の開口と、
前記第２のチャンバと前記筐体の外部とを連通し、前記気体を吐出させるための第２の開口と
前記第３のチャンバと前記筐体の外部とを連通し、前記気体を吐出させるための第３の開口と
を有する噴流発生装置。
【請求項１７】
請求項１６に記載の噴流発生装置であって、
前記第１及び第２のコイルは、前記第１、第２及び第３の各対向方向にほぼ垂直な面内で巻回された平面コイルである噴流発生装置。
【請求項１８】
請求項１６に記載の噴流発生装置であって、
前記第１及び第２のマグネットの対向方向にほぼ垂直な面内であって前記第１のコイルの内側に配置され、前記第１の振動体に装着された第１のヨークと、
前記第１及び第２のマグネットの対向方向にほぼ垂直な面内であって前記第２のコイルの内側に配置され、前記第２の振動体に装着された第２のヨークと
をさらに具備する噴流発生装置。
【請求項１９】
外部から流体を吸入するための第１の吸入口と、前記第１の吸入口から吸入された前記流体を前記外部へ吐出するための第１の吐出口と、前記外部から前記流体を吸入するための第２の吸入口と、前記第２の吸入口から吸入された前記流体を前記外部へ吐出するための第２の吐出口とを有する筐体と、
前記筐体内を、前記第１の吸入口及び前記第１の吐出口を介して前記外部と連通可能な第１のチャンバと、前記第２の吸入口及び前記第２の吐出口を介して前記外部と連通可能な第２のチャンバとに仕切るとともに、前記第１のチャンバと前記第２のチャンバとの間を密閉し、振動することで前記第１及び第２の吐出口から前記流体を脈流かつ噴流として吐出させる第１の振動体と、
前記筐体内に配置された第１のマグネットと、反発磁界を形成するように前記第１のマグネットに対向して前記筐体内に配置された第２のマグネットと、前記第１の振動体に装着され、前記反発磁界を受けるように配置された第１のコイルとを有し、前記第１のコイルに通電することで前記第１の振動体を駆動する駆動機構と
を具備する噴流発生装置。
【請求項２０】
請求項１９に記載の噴流発生装置において、
前記第１のコイルは、前記第１及び第２のマグネットの前記対向方向にほぼ垂直な面内で巻回された平面コイルである噴流発生装置。